(57)【要約】【課題】ブランチ除外やブランチ入替の必要が生じた場合、ＨＳＳＣに係るブランチの除外や入替を行わない無線制御方法及び無線制御装置の提供。【解決手段】移動局１０と、移動局１０と無線通信を行うアクティブセット２０と、移動局１０がアクティブセット２０と行う無線通信を制御する無線制御装置３０とを用いた無線制御方法であって、移動局１０が、アクティブセット２０とＡ−ＤＰＣＨを介して無線通信を行いつつ、アクティブセット２０に含まれる一の無線基地局とＨＳ−ＰＤＳＣＨを介して無線通信を行う場合、ＨＳ−ＰＤＳＣＨを介した無線通信が維持できなくなるアクティブセット２０の構成の変更指示が移動局１０により成されると、ＨＳ−ＰＤＳＣＨを介した無線通信を維持する処理を行う維持決定を、無線制御装置３０が行う決定ステップを有する。【選択図】図８
2008067094.tif 000002
【特許請求の範囲】
【請求項１】
移動局と、該移動局と無線通信を行う複数の無線基地局から成る無線基地局群と、前記移動局が前記無線基地局群と行う無線通信を制御する無線制御装置とを用いた無線制御方法であって、
前記移動局が、前記無線基地局群と第１の通信チャネルを介して無線通信を行いつつ、前記無線基地局群に含まれる一の無線基地局と第２の通信チャネルを介して無線通信を行う場合、
前記無線基地局群の構成の変更指示が前記移動局により成されると、前記第２の通信チャネルを介した無線通信を維持する処理を行う維持決定を、前記無線制御装置が行う決定ステップを有する、ことを特徴とする無線制御方法。
【請求項２】
移動局と、該移動局と無線通信を行う複数の無線基地局から成る無線基地局群と、前記移動局が前記無線基地局群と行う無線通信を制御する無線制御装置とを用いた無線制御方法であって、
前記移動局が、前記無線基地局群と第１の通信チャネルを介して無線通信を行いつつ、前記無線基地局群に含まれる一の無線基地局と第２の通信チャネルを介して無線通信を行う場合、
無線品質の低い一又は複数の無線基地局を前記無線基地局群から除外し、且つ、該無線基地局群に含まれていない無線基地局であって除外対象の前記一又は複数の無線基地局よりも無線品質の高い無線基地局を前記無線基地局群に追加する旨の指示を、前記移動局が前記無線制御装置に通知する移動局通知ステップと、
前記移動局から通知された前記指示を、前記無線制御装置が取得する取得ステップと、
前記第２の通信チャネルを介して前記移動局と無線通信を行っている前記一の無線基地局が、除外対象の前記一又は複数の無線基地局に含まれている場合、前記指示を用いずに前記第２の通信チャネルを介した無線通信を維持する処理を行う維持決定を、前記無線制御装置が行う決定ステップと、
前記移動局が前記無線基地局群と行う無線通信を前記維持決定に基づいて制御するための指示を、前記無線制御装置が前記移動局に通知する制御装置通知ステップと
を有する、ことを特徴とする無線制御方法。
【請求項３】
移動局と、該移動局と無線通信を行う複数の無線基地局から成る無線基地局群と、前記移動局が前記無線基地局群と行う無線通信を制御する無線制御装置とを用いた無線制御方法であって、
前記移動局が、前記無線基地局群と第１の通信チャネルを介して無線通信を行いつつ、前記無線基地局群に含まれる一の無線基地局と第２の通信チャネルを介して無線通信を行う場合、
前記無線基地局群に含まれる一又は複数の無線基地局を該無線基地局群から除外する旨の指示を、前記移動局が前記無線制御装置に通知する移動局通知ステップと、
前記移動局から通知された前記指示を、前記無線制御装置が取得する取得ステップと、
前記第２の通信チャネルを介して前記移動局と無線通信を行っている前記一の無線基地局が、除外対象の前記一又は複数の無線基地局に含まれている場合、前記指示を用いずに前記第２の通信チャネルを介した無線通信を維持する処理を行う維持決定を、前記無線制御装置が行う決定ステップと、
前記移動局が前記無線基地局群と行う無線通信を前記維持決定に基づいて制御するための指示を、前記無線制御装置が前記移動局に通知する制御装置通知ステップと
を有する、ことを特徴とする無線制御方法。
【請求項４】
前記決定ステップにおいて、前記無線制御装置は、前記無線基地局群に含まれる一又は複数の無線基地局を該無線基地局群から除外しない旨の決定を、前記維持決定として前記無線制御装置が行う、ことを特徴とする請求項１〜３のうち何れか一項に記載の無線制御方法。
【請求項５】
前記決定ステップにおいて、前記無線制御装置は、前記第２の通信チャネルを介して前記移動局と無線通信する無線基地局を変更する旨の決定を、前記維持決定として前記無線制御装置が行う、ことを特徴とする請求項１〜３のうち何れか一項に記載の無線制御方法。
【請求項６】
前記決定ステップにおいて、前記無線制御装置は、前記第２の通信チャネルを介して前記移動局が無線通信を行っている無線基地局以外の他の無線基地局を前記無線基地局群から除外し、且つ、この除外される無線基地局よりも無線品質の高い無線基地局を該無線基地局群に追加する旨の決定を、前記維持決定として前記無線装置が行う、ことを特徴とする請求項１又は２に記載の無線制御方法。
【請求項７】
前記第１の通信チャネルは、Ａ−ＤＰＣＨ（Associated-Dedicated  Physical  CHannel）が用いられ、前記第２の通信チャネルは、ＨＳ−ＰＤＳＣＨ（High  Speed-Physical  Downlink  Shared  CHannel）及びＨＳ−ＳＣＣＨ（High  Speed-Shared  Control  CHannel）が用いられる、ことを特徴とする請求項１〜３のうち何れか一項に記載の無線制御方法。
【請求項８】
前記無線基地局群から前記移動局への通信は、ＨＳＤＰＡ（High  Speed  Downlink  Packet  Access）を用いて行っている、ことを特徴とする請求項１〜３のうち何れか一項に記載の無線制御方法。
【請求項９】
移動局と複数の無線基地局から成る無線基地局群とが行う無線通信を制御する無線制御装置であって、
前記移動局が、前記無線基地局群と第１の通信チャネルを介して無線通信を行いつつ、前記無線基地局群に含まれる一の無線基地局と第２の通信チャネルを介して無線通信を行う場合に、
前記第２の通信チャネルを介した無線通信が維持できなくなる前記無線基地局群の構成の変更指示が前記移動局により成されると、該第２の通信チャネルを介した無線通信を維持する処理を行う維持決定を行う決定手段を有する、ことを特徴とする無線制御装置。
【発明の詳細な説明】
【技術分野】
【０００１】
本発明は、無線制御方法及び無線制御装置に関する。
【背景技術】
【０００２】
非特許文献１及び非特許文献２には、Ｗ−ＣＤＭＡ方式の標準仕様が記載されており、非特許文献３には、ｃｄｍａ２０００方式の標準仕様が記載されている。また、非特許文献２には、下り方向の高速パケット伝送方式であるＨＳＤＰＡ（High  Speed  Downlink  Packet  Access）の仕様が記載されており、非特許文献３には、下り方向の高速データ伝送方式（１ｘＥＶ−ＤＯ）の仕様が記載されている。Ｗ−ＣＤＭＡ方式の場合、移動局は、無線基地局との間の無線通信の品質（例えば、受信信号電力を示すＣＰＩＣＨ−ＲＳＣＰや、ＣＰＩＣＨ−Ｅｃ／Ｎ０またはｐａｔｈｌｏｓｓ等を用いて評価される。以下、無線品質といい、ＣＰＩＣＨ−ＲＳＣＰを想定して説明する。）を監視し、この無線品質に基づいて、ブランチ追加、ブランチ除外またはブランチ入替の何れを行うかを決定する。移動局は、この決定を無線制御装置に通知し、無線制御装置は、移動局から通知されたこの決定に基づいてソフトハンドオーバ（soft  hand  over：SHO）の制御を行う。
【０００３】
ブランチは、移動局と無線基地局との間の無線リンクであり、この無線基地局自体を表している場合もある。そして、移動局がＳＨＯを用いて無線通信を行う複数の無線基地局の集合（無線基地局群）をアクティブセットという。ブランチ追加は、無線リンクを介して移動局と通信を行う無線基地局をアクティブセットに加えることを意味する。ブランチ除外は、アクティブセットを構成する複数の無線基地局のうちの何れかの無線基地局を除外することを意味する。ブランチ入替は、アクティブセットを構成する複数の無線基地局のうち無線品質の最も低い無線基地局を、この無線基地局と比較して無線品質の比較的良好な他の無線基地局であってこのアクティブセットに含まれていない無線基地局に入れ替えることを意味する。
【非特許文献１】3GPP  Specification  detail,  3GPP  TS  25.331.  [online].  version  6.10.0.  [retrievedon 2006-09-07].  Retrieved from the Internet:<URL:http://www.3gpp.org/ftp/Specs/html-info/25331.htm>
【非特許文献２】3GPP  Specification  detail,  3GPP  TS  25.308.  [online].  version  5.7.0.  [retrievedon 2006-09-07].  Retrieved from the Internet:<URL:http://www.3gpp.org/ftp/Specs/html-info/25308.htm>
【非特許文献３】cdma2000  High  Rate  Packet  Data  Air  Interface  Specification.  [online].  [retrievedon 2006-09-07].  Retrieved from the Internet:<URL:http://www.3gpp2.org/Public_html/specs/C.S0024-A_v1.0_040331.pdf>
【発明の開示】
【発明が解決しようとする課題】
【０００４】
ＨＳＤＰＡ方式において、上り方向の無線リンクにより伝送される制御情報及びユーザデータと、下り方向の無線リンクにより伝送される制御情報とは、何れも、アクティブセットを構成する複数のブランチを介して伝送される。これに対し、下り方向の無線リンクにより伝送されるユーザデータは、アクティブセットを構成する複数のブランチのうち何れか一のブランチ（このブランチに係るセルは、HS-Serving-Cellと称され、以下、ＨＳＳＣという。）を介して伝送される。しかし、このようなＨＳＳＣが、ブランチ除外やブランチ入替の対象となっている場合には、ＨＳＤＰＡ方式による無線通信の継続は困難となる。そこで本発明の目的は、ブランチ除外やブランチ入替の必要が生じた場合、ＨＳＳＣに係るブランチの除外や入替を行わない無線制御方法及び無線制御装置の提供を目的とする。
【課題を解決するための手段】
【０００５】
本発明は、移動局と、該移動局と無線通信を行う複数の無線基地局から成る無線基地局群と、上記移動局が上記無線基地局群と行う無線通信を制御する無線制御装置とを用いた無線制御方法であって、上記移動局が、上記無線基地局群と第１の通信チャネルを介して無線通信を行いつつ、上記無線基地局群に含まれる一の無線基地局と第２の通信チャネルを介して無線通信を行う場合、上記無線基地局群の構成の変更指示が上記移動局により成されると、上記第２の通信チャネルを介した無線通信を維持する処理を行う維持決定を、上記無線制御装置が行う決定ステップを有する、ことを特徴とする。
【０００６】
本発明は、移動局と複数の無線基地局から成る無線基地局群とが行う無線通信を制御する無線制御装置であって、上記移動局が、上記無線基地局群と第１の通信チャネルを介して無線通信を行いつつ、上記無線基地局群に含まれる一の無線基地局と第２の通信チャネルを介して無線通信を行う場合に、上記第２の通信チャネルを介した無線通信が維持できなくなる上記無線基地局群の構成の変更指示が上記移動局により成されると、該第２の通信チャネルを介した無線通信を維持する処理を行う維持決定を行う決定手段を有する、ことを特徴とする。
【０００７】
本発明は、移動局と、該移動局と無線通信を行う複数の無線基地局から成る無線基地局群と、上記移動局が上記無線基地局群と行う無線通信を制御する無線制御装置とを用いた無線制御方法であって、上記移動局が、上記無線基地局群と第１の通信チャネルを介して無線通信を行いつつ、上記無線基地局群に含まれる一の無線基地局と第２の通信チャネルを介して無線通信を行う場合、無線品質の低い一又は複数の無線基地局を上記無線基地局群から除外し、且つ、該無線基地局群に含まれていない無線基地局であって除外対象の上記一又は複数の無線基地局よりも無線品質の高い無線基地局を上記無線基地局群に追加する旨の指示を、上記移動局が上記無線制御装置に通知する移動局通知ステップと、上記移動局から通知された上記指示を、上記無線制御装置が取得する取得ステップと、上記第２の通信チャネルを介して上記移動局と無線通信を行っている上記一の無線基地局が、除外対象の上記一又は複数の無線基地局に含まれている場合、上記指示を用いずに上記第２の通信チャネルを介した無線通信を維持する処理を行う維持決定を、上記無線制御装置が行う決定ステップと、上記移動局が上記無線基地局群と行う無線通信を上記維持決定に基づいて制御するための指示を、上記無線制御装置が上記移動局に通知する制御装置通知ステップとを有する、ことを特徴とする。
【０００８】
本発明は、移動局と、該移動局と無線通信を行う複数の無線基地局から成る無線基地局群と、上記移動局が上記無線基地局群と行う無線通信を制御する無線制御装置とを用いた無線制御方法であって、上記移動局が、上記無線基地局群と第１の通信チャネルを介して無線通信を行いつつ、上記無線基地局群に含まれる一の無線基地局と第２の通信チャネルを介して無線通信を行う場合、上記無線基地局群に含まれる一又は複数の無線基地局を該無線基地局群から除外する旨の指示を、上記移動局が上記無線制御装置に通知する移動局通知ステップと、上記移動局から通知された上記指示を、上記無線制御装置が取得する取得ステップと、上記第２の通信チャネルを介して上記移動局と無線通信を行っている上記一の無線基地局が、除外対象の上記一又は複数の無線基地局に含まれている場合、上記指示を用いずに上記第２の通信チャネルを介した無線通信を維持する処理を行う維持決定を、上記無線制御装置が行う決定ステップと、上記移動局が上記無線基地局群と行う無線通信を上記維持決定に基づいて制御するための指示を、上記無線制御装置が上記移動局に通知する制御装置通知ステップとを有する、ことを特徴とする。
【０００９】
また、上記決定ステップにおいて、上記無線制御装置は、上記第２の通信チャネルを介して上記移動局が無線通信を行っている無線基地局以外の他の無線基地局を上記無線基地局群から除外し、且つ、この除外される無線基地局よりも無線品質の高い無線基地局を該無線基地局群に追加する旨の決定を、上記維持決定として上記無線装置が行ってもよい。
【００１０】
また、上記決定ステップにおいて、上記無線制御装置は、上記無線基地局群に含まれる一又は複数の無線基地局を該無線基地局群から除外しない旨の決定を、上記維持決定として上記無線制御装置が行ってもよく、上記決定ステップにおいて、上記無線制御装置は、上記第２の通信チャネルを介して上記移動局と無線通信する無線基地局を変更する旨の決定を、上記維持決定として上記無線制御装置が行ってもよい。
【００１１】
また、上記第１の通信チャネルは、Ａ−ＤＰＣＨ（Associated-Dedicated  Physical  CHannel）が用いられ、上記第２の通信チャネルは、ＨＳ−ＰＤＳＣＨ（High  Speed-Physical  Downlink  Shared  CHannel）及びＨＳ−ＳＣＣＨ（High  Speed-Shared  Control  CHannel）が用いられるのが好ましく、上記無線基地局群から上記移動局への通信は、ＨＳＤＰＡ（High  Speed  Downlink  Packet  Access）を用いて行っているのが好ましい。
【００１２】
無線基地局のセル間を移動局が移動することにより、より安定した無線通信が行なえるように無線基地局群の構成を変更する変更指示が移動局により成される。しかし、第２の通信チャネルを介して移動局と無線通信を行なっている無線基地局が変更対象となっている場合には、この第２の通信チャネルの維持が困難となる。本発明によれば、第２の通信チャネルを介して移動局と無線通信を行なっている無線基地局が変更対象となっている場合であっても、第２の通信チャネルを介した無線通信の維持決定が成されるので、第２の通信チャネルの維持が可能となる。
【発明の効果】
【００１３】
本発明によれば、ブランチ除外やブランチ入替の必要が生じた場合であっても、ＨＳＳＣに係るブランチの除外や入替を行わない無線制御方法及び無線制御装置が提供できる。
【発明を実施するための最良の形態】
【００１４】
以下、図面を参照して、本発明に係る好適な実施形態について詳細に説明する。なお、図面の説明において、可能な場合には、同一要素には同一符号を付し、重複する説明を省略する。図１は、移動通信システム１００の構成を示すブロック図である。移動通信システム１００は、複数の移動局１１〜移動局１３と、複数の無線基地局２１〜無線基地局２５と、無線制御装置３０とを備える。以下、移動局１１〜移動局１３の何れか一の移動局を移動局１０と記載する。無線基地局２１〜無線基地局２３は、移動局１０と無線通信を行うアクティブセット２０（無線基地局群）を構成し、無線基地局２４及び無線基地局２５は、移動局１０と無線通信を行なっていないとする。無線制御装置３０は、移動局１０がアクティブセット２０と行う無線通信を制御する。なお、無線基地局２１〜無線基地局２５は、それぞれ一つずつのセル２１ａ〜セル２５ａを有しているとしたが、これに限らず、それぞれ複数のセルを有していてもよい。この場合、ＳＨＯを用いて通信を行うブランチは、セル毎に設定される。移動通信システム１００の下り方向のブランチにはＨＳＤＰＡ方式が適用されている。
【００１５】
次に、移動通信システム１００におけるＨＳＤＰＡ方式の通信チャネルについて説明する。ＨＳＤＰＡ方式における下り方向ブランチについては、ＨＳ−ＰＤＳＣＨ（High  Speed-Physical  Downlink  Shared  CHannel）と、移動局１０が共有して使用する下り共有制御チャネルＨＳ−ＳＣＣＨ（High  Speed-Shared  Control  CHannel）と、移動局１０に個別に割り当てられる、ＨＳ−ＳＣＣＨに付随するＡ−ＤＰＣＨ（Associated-Dedicated  Physical  CHannel）とが用いられる。ＨＳ−ＰＤＳＣＨは、トランスポートチャネルにおけるＨＳ−ＤＳＣＨ（High  Speed-Downlink  Shared  CHannel）に対応する。また、上り方向ブランチにおいては、移動局１０に個別に割り当てられるＡ−ＤＰＣＨに加えて、移動局１０に個別に割り当てられるＨＳＤＰＡ方式用の制御チャネルＨＳ−ＤＰＣＣＨ（High  Speed-Dedicated  Physical  Control  CHannel）が用いられる。そして、下り方向ブランチにおいては、この下り方向ブランチに付随するＡ−ＤＰＣＨにより、上り方向ブランチに付随するＡ−ＤＰＣＨのための送信電力を制御する制御コマンド等が伝送され、共有物理チャネルによりユーザデータが伝送される。
【００１６】
一方、上り方向ブランチにおいては、この上り方向ブランチに付随するＡ−ＤＰＣＨにより、ユーザデータ以外に、パイロットシンボルや、下り方向ブランチに付随するＡ−ＤＰＣＨ送信のための電力制御コマンド（ＴＰＣコマンド）が伝送され、ＨＳＤＰＡ用の個別制御チャネルにより、共有チャネルのスケジューリング、ＡＭＣＳ（適応変調・符号化）に用いるための下り方向ブランチの無線品質、及び、下り方向ブランチの共有チャネルＨＳ−ＤＳＣＨの送達確認情報が伝送される。ＨＳＤＰＡ方式を用いた場合、セル間を移動する移動局１０は、Ａ−ＤＰＣＨ（第１の通信チャネル）をアクティブセット２０内の複数ブランチに用い、これらのＡ−ＤＰＣＨに対しＳＨＯを用いる。一方、ＨＳ−ＰＤＳＣＨ（第２の通信チャネル）はアクティブセット２０内の一つのブランチで用いられるため、ＨＳ−ＰＤＳＣＨに対してはＳＨＯが用いられず、ハードハンドオーバ（Hard  Hand  Over：HHO）が用いられる。なお、ＨＳＤＰＡ方式で無線通信中の移動局１０に割り当てられたＨＳ−ＰＤＳＣＨが用いられるブランチ（無線基地局）を、ＨＳＳＣと称する。
【００１７】
次に、図２及び図３を参照して、無線制御装置３０の構成を説明する。図２に示すように、無線制御装置３０は、物理的には、ＣＰＵ３１、ＲＡＭ３２、ＲＯＭ３３、入力装置３４、出力装置３５及び通信制御装置３６を有しており、これらはバス３７に接続されている。ＣＰＵ３１は、ＲＯＭ３３等の内蔵メモリに格納された所定のコンピュータソフトウェアをＲＡＭ３２にロードして実行することにより、無線制御装置３０を統括的に制御する。入力装置３４は、キーボード等のデータ入力用デバイスであり、入力されたデータをＣＰＵ３１に出力する。出力装置３５は、ＬＣＤ等の表示装置やプリンタ等であり、ＣＰＵ３１から入力されたデータをＬＣＤ等に表示したり紙等にプリントしたりする。通信制御装置３６は、無線基地局２１〜無線基地局２５を介して移動局１０と通信を行うためのインターフェイスを有する。
【００１８】
ＣＰＵ３１は、図３に示す複数の機能を実現する。図３は、ＣＰＵ３１により実現される無線制御装置３０の機能を示すブロック図である。無線制御装置３０は、機能的には、取得手段１０１、決定手段１０２及び指示手段１０３を有する。取得手段１０１、決定手段１０２及び指示手段１０３は、ＣＰＵ３１が上述のコンピュータソフトウェアを実行し、図２に示す無線制御装置３０の各構成部を動作させることにより実現される機能である。特に、ＣＰＵ３１は、図３に示す各機能を用いて、図８〜図１４に示す処理を実行する。
【００１９】
取得手段１０１は、移動局１０から通知されたイベントの発生を示すデータ（例えば、図４に示すリストＬ１、図５に示すリストＬ２及び図６に示すリストＬ３。）を取得する。イベントとは、アクティブセット２０に対するブランチ追加、ブランチ除外及びブランチ入替等である。リストＬ１〜リストＬ３は、アクティブセット２０の構成を変更する旨の変更指示（移動局１０が無線制御装置３０に行う変更指示）を表しており、移動局１０から無線制御装置３０に通知されるデータである。特に、リストＬ１は、アクティブセット２０からブランチを除外する旨の指示を表しており、リストＬ２は、アクティブセット２０において無線品質（ＣＰＩＣＨ−ＲＳＣＰ）の低い一又は複数の無線基地局をアクティブセット２０から除外し、且つ、アクティブセット２０に含まれていない無線基地局であって除外対象となっている一又は複数の無線基地局よりも無線品質の高い無線基地局をアクティブセット２０に追加する旨の指示を表している。なお、ＣＰＩＣＨ−ＲＳＣＰは、移動局１０により測定される。
【００２０】
ブランチ除外を示すイベントが発生した場合、移動局１０は、例えば、図４に示すようなリストＬ１を無線制御装置３０に通知する。リストＬ１には、除外基準（例えば、図７に示す閾値Ｔｈ１）を満たしているブランチ（無線基地局２２）が記載されている。なお、リストＬ１に記載されるブランチの数は、アクティブセット２０に含まれる最大ブランチ数から１を差し引いた数まで可能である。この場合、アクティブセット２０に含まれているブランチがＣＰＩＣＨ−ＲＳＣＰに応じて降順に配列されている。また、ブランチ入替を示すイベントが発生した場合、移動局１０は、例えば、図５に示すようなリストＬ２と、更に、このリストＬ２に加えて図６に示すようなＣＰＩＣＨ−ＲＳＣＰが含まれたリストＬ３とを無線制御装置３０に通知する。リストＬ２には、アクティブセット２０に新たに追加するブランチ（無線基地局２４）と、このブランチよりもＣＰＩＣＨ−ＲＳＣＰの小さいアクティブセット２０に含まれたブランチ（無線基地局２３及び無線基地局２２）とが含まれており、ＣＰＩＣＨ−ＲＳＣＰに応じて降順に配列されている。このように、リストＬ２の最上位のブランチ（無線基地局２４）は、アクティブセット２０に新たに追加するブランチであり、他のブランチ（特に、リストＬ２の最下位のブランチである無線基地局２２）は、アクティブセット２０から除外されるブランチである。これに対し、リストＬ３には、アクティブセット２０に含まれているか否かによらず、移動局１０によりＣＰＩＣＨ−ＲＳＣＰが測定された無線基地局２１等が、このＣＰＩＣＨ−ＲＳＣＰに応じて降順に配列されている。なお、リストＬ１〜リストＬ３は、ＣＰＩＣＨ−ＲＳＣＰを基準に作成されているが、これに限らず、ＣＰＩＣＨ−Ｅｃ／Ｎ０やｐａｔｈｌｏｓｓを基準に作成されていてもよい。
【００２１】
図３に戻って説明する。決定手段１０２は、取得手段１０１により取得された移動局１０からのイベントの通知に基づいて、アクティブセット２０に含まれるブランチの追加／除外を決定する。例えば、決定手段１０２は、イベント内容がブランチ除外を示している場合、移動局１０からイベントの通知と共に送信されるリスト（例えば、図５に記載のリストＬ２）に含まれるブランチを除外する決定を行う。また、イベント内容がブランチ入替を示している場合、決定手段１０２は、移動局１０からイベントの通知と共に送信されるリスト（例えば、図６に記載のリストＬ２、更にはリストＬ３）に基づいて、アクティブセット２０を構成する複数のブランチのうちＣＰＩＣＨ−ＲＳＣＰの最も低いブランチを除外し、このブランチに替えて、アクティブセット２０を構成するブランチ以外のブランチのうちＣＰＩＣＨ−ＲＳＣＰの最も高いブランチをアクティブセット２０に加える決定を行う。
【００２２】
決定手段１０２は、除外対象のブランチがＨＳＳＣに該当する場合、このブランチの除外をおこなわず、ＨＳ−ＰＤＳＣＨを介した無線通信を維持する処理を行う維持決定を行う。例えば、決定手段１０２は、アクティブセット２０の構成を変更し、ＨＳ−ＰＤＳＣＨを介した無線通信が維持できなくなるような変更指示（リストＬ１〜リストＬ３）が移動局１０により成されると、ＨＳ−ＰＤＳＣＨを介した無線通信を維持する処理を行う維持決定を行う。また、決定手段１０２は、例えば、アクティブセット２０において無線品質（ＣＰＩＣＨ−ＲＳＣＰ）の低い一又は複数の無線基地局をアクティブセット２０から除外し、且つ、アクティブセット２０に含まれていない無線基地局であって除外対象の一又は複数の無線基地局よりも無線品質の高い無線基地局をアクティブセット２０に追加する旨の指示が、移動局１０から送信されると、ＨＳ−ＰＤＳＣＨを介して移動局１０と無線通信を行っているＨＳＳＣ（実施形態においては無線基地局２２）が、除外対象の一又は複数の無線基地局に含まれている場合に、ＨＳ−ＰＤＳＣＨを介して移動局１０が行う無線通信の維持決定を行う。また、決定手段１０２は、例えば、アクティブセット２０に含まれる一又は複数の無線基地局をアクティブセット２０から除外する旨の指示が、移動局１０から送信されると、ＨＳ−ＰＤＳＣＨを介して移動局１０と無線通信を行っているＨＳＳＣ（実施形態においては無線基地局２２）が、除外対象の一又は複数の無線基地局に含まれている場合に、ＨＳ−ＰＤＳＣＨを介して移動局１０が行う無線通信の維持決定を行う。指示手段１０３は、移動局１０が無線基地局群と行う無線通信を上述の維持決定に基づいて制御するための指示を、移動局１０に通知する。
【００２３】
次に、図７を参照して、ブランチ入替に係る移動局１０の動作を説明する。図７は、無線基地局２１〜無線基地局２５の共通チャネルにおけるＣＰＩＣＨ−ＲＳＣＰの変化の一例を示す。時刻Ｔ１〜時刻Ｔ３において、移動局１０は、アクティブセット２０に含まれる無線基地局２１〜無線基地局２３と、ＳＨＯを用いた無線通信を行っている。なお、アクティブセット２０に含まれるブランチ数の最大値は「３」であるとする。
【００２４】
移動局１０は、時刻Ｔ２において、アクティブセット２０に含まれておりＣＰＩＣＨ−ＲＳＣＰの最も大きい無線基地局２１のＣＰＩＣＨ−ＲＳＣＰから、アクティブセット２０に含まれておりＣＰＩＣＨ−ＲＳＣＰの最も小さい無線基地局２２のＣＰＩＣＨ−ＲＳＣＰを差し引いた値が、予め定められた閾値Ｔｈ１を超えたので、無線基地局２２のブランチをアクティブセット２０から除外すると決定し、リストＬ１を無線制御装置３０に通知する。移動局１０は、時刻Ｔ３において、アクティブセット２０に含まれていない無線基地局２４のＣＰＩＣＨ−ＲＳＣＰから、アクティブセット２０に含まれておりＣＰＩＣＨ−ＲＳＣＰの最も小さい無線基地局２２のＣＰＩＣＨ−ＲＳＣＰを差し引いた値が予め定められた閾値Ｔｈ２を超えたので、無線基地局２２を無線基地局２４と入替える決定を行い、リストＬ２（更には、リストＬ３）を無線制御装置３０に通知する。
【００２５】
なお、実施形態においては、説明簡略化のため、hysteresis、time-to-trigger、cell-individual-offsetsを全てゼロとして説明している。また、実施形態において、移動局１０は、リストＬ２やリストＬ３に示すように、アクティブセット２０に含まれておりＣＰＩＣＨ−ＲＳＣＰの小さい無線基地局と、アクティブセット２０に含まれていないＣＰＩＣＨ−ＲＳＣＰの大きい無線基地局とを、それぞれ一つずつ無線制御装置３０に通知するとしているが、ぞれぞれ複数の無線基地局を通知してもよい。移動局１０は、ブランチ追加、ブランチ除外及びブランチ入替のための決定を行うことにより、ＳＨＯを用いた無線通信の切り替えが好適に行える。
【００２６】
次に、図８を参照し、イベント内容がブランチ除外を示す場合の無線制御装置３０の動作を説明する。取得手段１０１は、移動局１０からリストＬ１を取得する（ステップＳ１）。次に、決定手段１０２は、このリストＬ１に記載されているブランチのうち最下位の（ＣＰＩＣＨ−ＲＳＣＰの最も低い）ブランチを特定し（リストＬ１のように、一つのブランチのみがリストに含まれている場合、このブランチを特定し）、この特定したブランチをアクティブセット２０から除外（すなわち、アクティブセット２０の構成を変更）することを決定する（ステップＳ２）。次に、決定手段１０２は、ステップＳ２において除外の決定をしたブランチが、ＨＳＳＣに該当するか否かを判定する（ステップＳ３）。決定手段１０２は、ステップＳ２において除外の決定をしたブランチがＨＳＳＣに該当すると判定した場合、すなわち、アクティブセット２０の構成が変更され、ＨＳ−ＰＤＳＣＨが維持できない場合（ステップＳ３；Ｙｅｓ）、ＨＳＳＣに該当するブランチを除外しない旨を決定し（すなわち、ＨＳ−ＰＤＳＣＨを維持する処理を行なう維持決定を行い）、指示手段１０３は、この維持決定に基づいて、移動局１０がアクティブセット２０と行なう無線通信を制御するための指示を移動局１０に通知して処理を終了する。決定手段１０２は、ステップＳ２において除外の決定をしたブランチがＨＳＳＣに該当しないと判定した場合（ステップＳ３；Ｎｏ）、ステップＳ４に移行する。ステップＳ４において、指示手段１０３は、ステップＳ２において除外決定されたブランチを移動局１０に通知し、処理を終了する（ステップＳ４）。なお、リストＬ１に複数のブランチが含まれている場合、ステップＳ２において除外決定されるブランチは、リストＬ１の最下位のブランチであってもよいし、リストＬ１においてランダムに特定されたブランチであってもよい。
【００２７】
次に、図９を参照し、イベント内容がブランチ除外を示す場合の無線制御装置３０の他の動作を説明する。図９に示すステップＳ１２、ステップＳ１３、ステップＳ１５のそれぞれの内容は、図８に示すステップＳ２、ステップＳ３、ステップＳ４のそれぞれの内容とステップ番号を除いて同様である。従って、ステップＳ１１、ステップＳ１４及びステップＳ１６の内容について説明する。取得手段１０１は、リストＬ１及びリストＬ３を移動局１０から取得し（ステップＳ１１）、ステップＳ１２に移行する。そして、ステップＳ１２の後、決定手段１０２は、ステップＳ１２において除外の決定をしたブランチがＨＳＳＣに該当する場合、すなわち、アクティブセット２０の構成が変更され、ＨＳ−ＰＤＳＣＨが維持できない場合（ステップＳ１３；Ｙｅｓ）、リストＬ３のアクティブセット２０に含まれている複数のブランチのうちＣＰＩＣＨ−ＲＳＣＰの最も大きなブランチにＨＳＳＣを変更する決定（すなわち、ＨＳ−ＰＤＳＣＨを維持する処理を行なう維持決定）を行う（ステップＳ１４）。ステップＳ１４の後、指示手段１０３は、この維持決定に基づいて、移動局１０がアクティブセット２０と行なう無線通信を制御するための指示を移動局１０に通知して（アクティブセット２０から除外するブランチとＨＳＳＣに新たに指定するブランチとを移動局１０に通知して）処理を終了する（ステップＳ１６）。なお、リストＬ１に複数のブランチが含まれている場合、ステップＳ１２において除外決定されるブランチは、リストＬ１の最下位のブランチであってもよいし、リストＬ１においてランダムに特定されたブランチであってもよい。
【００２８】
次に、図１０を参照して、イベント内容がブランチ入替を示す場合の無線制御装置３０の動作を説明する。取得手段１０１は、リストＬ２を移動局１０から取得する（ステップＳ２１）。次に、決定手段１０２は、リストＬ２の最上位のブランチをアクティブセット２０に追加し、最下位のブランチをアクティブセット２０から除外する決定（すなわち、アクティブセット２０の構成の変更決定）を行う（ステップＳ２２）。次に、決定手段１０２は、ステップＳ２２において除外の決定をしたブランチが、ＨＳＳＣに該当するか否かを判定する（ステップＳ２３）。決定手段１０２は、除外の決定をしたブランチがＨＳＳＣに該当すると判定した場合、すなわち、アクティブセット２０の構成が変更され、ＨＳ−ＰＤＳＣＨが維持できない場合（ステップＳ２３；Ｙｅｓ）、ステップＳ２４に移行し、除外の決定をしたブランチがＨＳＳＣに該当しないと判定した場合（ステップＳ２３；Ｎｏ）、ステップＳ２６に移行する。ステップ２４において、決定手段１０２は、リストＬ２に含まれているアクティブセット２０のブランチ数が２以上であるか否かを判定する（ステップＳ２４）。
【００２９】
決定手段１０２は、リストＬ２に含まれているアクティブセット２０のブランチ数が２以上の場合（ステップＳ２４；Ｙｅｓ）、ステップＳ２５に移行し、リストＬ２に含まれているアクティブセット２０のブランチ数が１の場合（ステップＳ２４；Ｎｏ）、ＨＳＳＣに該当するブランチを除外しない旨を決定し（すなわち、ＨＳ−ＰＤＳＣＨを維持する処理を行なう維持決定を行い）、指示手段１０３は、この維持決定に基づいて、移動局１０がアクティブセット２０と行なう無線通信を制御するための指示を移動局１０に通知して処理を終了する。ステップＳ２５において、決定手段１０２は、リストＬ２のアクティブセット２０に含まれているブランチのうちＨＳＳＣの項番（リストＬ２における並び順）から「１」だけ差し引いた項番のブランチを除外する決定（すなわち、ＨＳ−ＰＤＳＣＨを維持する処理を行なう維持決定）を行う（ステップＳ２５）。ステップＳ２５の後（または、ステップＳ２３の分岐「ＮＯ」の後）、指示手段１０３は、この維持決定に基づいて、移動局１０がアクティブセット２０と行なう無線通信を制御するための指示を移動局１０に通知して（ステップＳ２５において除外決定されたブランチとステップＳ２２において追加決定されたブランチとを移動局１０に通知して）処理を終了する（ステップＳ２６）。
【００３０】
なお、ステップＳ２２において追加決定されるブランチは、リストＬ３を用いて、リストＬ３のアクティブセット２０に含まれない複数のブランチのうちＣＰＩＣＨ−ＲＳＣＰの最も大きなブランチであってもよいし、ステップＳ２２において除外決定されるブランチは、リストＬ３のアクティブセット２０に含まれる複数のブランチのうちＣＰＩＣＨ−ＲＳＣＰの最も小さなブランチであってもよい。この場合、取得手段１０１は、ステップＳ２１において、リストＬ２に加えてリストＬ３を移動局１０から取得する。また、ステップＳ２２において追加決定されるブランチは、リストＬ２の最上位のブランチであってもよいし、リストＬ２のアクティブセット２０に含まれない複数のブランチからランダムに特定されたブランチであってもよい。
【００３１】
次に、図１１を参照して、イベント内容がブランチ入替を示す場合の無線制御装置３０の他の動作を説明する。図１１に示すステップＳ３１〜ステップＳ３４及びステップＳ３６のぞれぞれの内容は、図１０に示すステップＳ２１〜ステップＳ２４及びステップＳ２６のぞれぞれの内容とステップ番号を除いて同様である。従って、ステップＳ３５の内容について説明する。ステップＳ３４の分岐「ＹＥＳ」の後、決定手段１０２は、リストＬ２のアクティブセット２０に含まれる複数のブランチのうちＨＳＳＣ以外のブランチから除外する一のブランチをランダムに決定し（すなわち、ＨＳ−ＰＤＳＣＨを維持する処理を行なう維持決定を行い）（ステップＳ３５）、ステップＳ３６に移行する。なお、ステップＳ３２において追加決定されるブランチは、リストＬ３のアクティブセット２０に含まれない複数のブランチのうちＣＰＩＣＨ−ＲＳＣＰの最も大きなブランチであってもよいし、ステップＳ３２において除外決定されるブランチは、リストＬ３のアクティブセット２０に含まれる複数のブランチのうちＣＰＩＣＨ−ＲＳＣＰの最も小さなブランチであってもよい。この場合、取得手段１０１は、ステップＳ３１において、リストＬ２に加えてリストＬ３を移動局１０から取得する。また、ステップＳ３２において追加決定されるブランチは、リストＬ２の最上位のブランチであってもよいし、リストＬ２のアクティブセット２０に含まれない複数のブランチからランダムに特定されたブランチであってもよい。
【００３２】
次に、図１２を参照して、イベント内容がブランチ入替を示す場合の無線制御装置３０の他の動作を説明する。取得手段１０１は、リストＬ２とリストＬ３とを移動局１０から取得する（ステップＳ４１）。次に、決定手段１０２は、リストＬ２の最上位のブランチをアクティブセット２０に追加し、最下位のブランチをアクティブセット２０から除外（すなわち、アクティブセット２０の構成を変更）する決定を行う（ステップＳ４２）。次に、決定手段１０２は、ステップＳ４２において除外の決定をしたブランチが、ＨＳＳＣに該当するか否かを判定する（ステップＳ４３）。決定手段１０２は、除外の決定をしたブランチがＨＳＳＣに該当すると判定した場合、すなわち、アクティブセット２０の構成が変更され、ＨＳ−ＰＤＳＣＨが維持できない場合（ステップＳ４３；Ｙｅｓ）、ステップＳ４４に移行し、除外の決定をしたブランチがＨＳＳＣに該当しないと判定した場合（ステップＳ４３；Ｎｏ）、ステップＳ４６に移行する。ステップ４４において、決定手段１０２は、リストＬ２に含まれているアクティブセット２０のブランチ数が２以上であるか否かを判定する（ステップＳ４４）。
【００３３】
決定手段１０２は、リストＬ２に含まれているアクティブセット２０のブランチ数が２以上の場合（ステップＳ４４；Ｙｅｓ）、ステップＳ４５に移行し、リストＬ２に含まれているアクティブセット２０のブランチ数が１の場合（ステップＳ４４；Ｎｏ）、ＨＳＳＣに該当するブランチを除外しない旨を決定し（すなわち、ＨＳ−ＰＤＳＣＨを維持する処理を行なう維持決定を行い）、指示手段１０３は、この維持決定に基づいて、移動局１０がアクティブセット２０と行なう無線通信を制御するための指示（除外は行なわれない旨）を移動局１０に通知して処理を終了する。ステップＳ４５において、決定手段１０２は、リストＬ３のアクティブセット２０に含まれるブランチであってＨＳＳＣのブランチの次にＣＰＩＣＨ−ＲＳＣＰの大きいブランチを除外する決定（すなわち、ＨＳ−ＰＤＳＣＨを維持する処理を行なう維持決定）を行い（ステップＳ４５）、ステップＳ４６に移行する。ステップＳ４５の後（または、ステップＳ４３の分岐「ＮＯ」の後）、指示手段１０３は、この維持決定に基づいて、移動局１０がアクティブセット２０と行なう無線通信を制御するための指示を移動局１０に通知して（ステップＳ４５において除外決定されたブランチとステップＳ４２において追加決定されたブランチとを移動局１０に通知して）処理を終了する（ステップＳ４６）。
【００３４】
なお、ステップＳ４２において追加決定されるブランチは、リストＬ３のアクティブセット２０に含まれない複数のブランチのうちＣＰＩＣＨ−ＲＳＣＰの最も大きなブランチであってもよいし、ステップＳ４２において除外決定されるブランチは、リストＬ３のアクティブセット２０に含まれる複数のブランチのうちＣＰＩＣＨ−ＲＳＣＰの最も小さなブランチであってもよい。また、ステップＳ４２において追加決定されるブランチは、リストＬ２の最上位のブランチであってもよいし、リストＬ２のアクティブセット２０に含まれない複数のブランチからランダムに特定されたブランチであってもよい。
【００３５】
次に、図１３を参照して、イベント内容がブランチ入替を示す場合の無線制御装置３０の他の動作を説明する。図１３に示すステップＳ５１〜ステップＳ５４及びステップＳ５６のぞれぞれの内容は、図１２に示すステップＳ４１〜ステップＳ４４及びステップＳ４６のぞれぞれの内容とステップ番号を除いて同様である。従って、ステップＳ５５の内容について説明する。決定手段１０２は、リストＬ２に含まれているアクティブセット２０のブランチ数が２以上の場合（ステップＳ５４；Ｙｅｓ）、リストＬ３のアクティブセット２０に含まれる複数のブランチのうち、ＣＰＩＣＨ−ＲＳＣＰが所定閾値αを下回る複数のブランチの中からランダムに選択した一のブランチであってＨＳＳＣ以外の一のブランチをアクティブセット２０から除外する決定（すなわち、ＨＳ−ＰＤＳＣＨを維持する処理を行なう維持決定）を行い（ステップＳ５５）、ステップＳ５６に移行する。閾値αは、無線制御装置３０のメモリ内に格納されていてもよいし、移動局１０から通知されてもよい。閾値αは、予め設定された定数値であってもよいし、リストＬ３に含まれるＣＰＩＣＨ−ＲＳＣＰの平均値（或いは、この平均値に所定のオフセット値を加えた値）であってもよい。この場合、閾値αはリストＬ３によって異なる。
【００３６】
なお、ステップＳ５２において追加決定されるブランチは、リストＬ３のアクティブセット２０に含まれない複数のブランチのうちＣＰＩＣＨ−ＲＳＣＰの最も大きなブランチであってもよいし、ステップＳ５２において除外決定されるブランチは、リストＬ３のアクティブセット２０に含まれる複数のブランチのうちＣＰＩＣＨ−ＲＳＣＰの最も小さなブランチであってもよい。また、ステップＳ５２において追加決定されるブランチは、リストＬ２の最上位のブランチであってもよいし、リストＬ２のアクティブセット２０に含まれない複数のブランチからランダムに特定されたブランチであってもよい。
【００３７】
次に、図１４を参照して、イベント内容がブランチ入替を示す場合の無線制御装置３０の他の動作を説明する。図１４に示すステップＳ６１〜ステップＳ６４のぞれぞれの内容は、図１２に示すステップＳ４１〜ステップＳ４４のぞれぞれの内容とステップ番号を除いて同様である。従って、ステップＳ６５〜ステップＳ６７の内容について説明する。ステップＳ６２において除外決定されたブランチ及び追加決定されたブランチがＨＳＳＣに該当しないと決定手段１０２により判定された場合（ステップＳ６３；Ｎｏ）、指示手段１０３は、この決定に基づいて、ステップＳ６２において除外決定されたブランチ及び追加決定されたブランチを移動局１０に通知し、処理を終了する（ステップＳ６６）。決定手段１０２は、ステップＳ６２において除外決定したブランチがＨＳＳＣに該当すると判定した場合、すなわち、アクティブセット２０の構成が変更され、ＨＳ−ＰＤＳＣＨが維持できない場合（ステップＳ６３；Ｙｅｓ）、リストＬ２に含まれているアクティブセット２０のブランチ数が２以上であるか否かを判定する（ステップＳ６４）。
【００３８】
リストＬ２に含まれているアクティブセット２０のブランチ数が２以上の場合（ステップＳ６４；Ｙｅｓ）、決定手段１０２は、リストＬ３のアクティブセット２０に含まれる複数のブランチのうちＣＰＩＣＨ−ＲＳＣＰが最大のブランチにＨＳＳＣを変更する決定（すなわち、ＨＳ−ＰＤＳＣＨを維持する処理を行なう維持決定）を行う（ステップＳ６５）。ステップＳ６５の後、指示手段１０３は、ステップＳ６５においてＨＳＳＣに新たに指定するブランチや、ステップＳ６２において除外決定されたブランチ及び追加決定されたブランチを移動局１０に通知し、処理を終了する（ステップＳ６７）。閾値αは、無線制御装置３０のメモリ内に格納されていてもよいし、移動局１０から通知されてもよい。閾値αは、予め設定された定数値であってもよいし、リストＬ３に含まれるＣＰＩＣＨ−ＲＳＣＰの平均値（或いは、この平均値に所定のオフセット値を加えた値）であってもよい。この場合、閾値αはリストＬ３によって異なる。
【００３９】
なお、ステップＳ６２において追加決定されるブランチは、リストＬ３のアクティブセット２０に含まれない複数のブランチのうちＣＰＩＣＨ−ＲＳＣＰの最も大きなブランチであってもよいし、ステップＳ６２において除外決定されるブランチは、リストＬ３のアクティブセット２０に含まれる複数のブランチのうちＣＰＩＣＨ−ＲＳＣＰの最も小さなブランチであってもよい。また、ステップＳ６２において追加決定されるブランチは、リストＬ２の最上位のブランチであってもよいし、リストＬ２のアクティブセット２０に含まれない複数のブランチからランダムに特定されたブランチであってもよい。
【００４０】
なお、本実施形態においては、移動局１０と無線基地局２１〜無線基地局２５との間の無線品質に、ＣＰＩＣＨ−ＲＳＣＰを用いたが、これに限らず、ＣＰＩＣＨ−Ｅｃ／Ｎ０やｐａｔｈｌｏｓｓを用いてもよい。また、本実施形態は、ブランチ除外、ブランチ追加及びブランチ入替以外の他のイベント内容に対しても適用可能であり、ＨＳＤＰＡ方式以外の無線方式、例えば、ＨＳＵＰＡ（High  Speed  Uplink  Packet  Access）や、EnHanced-Uplinkに対しても適用可能である。更に、例えば、３ＧＰＰ２のLong-Term-Evolutionにより提供される高速パケット伝送方式や、３ＧＰＰ２におけるｃｄｍａ２０００  １ｘＥＶ−ＤＯやＴＤＤ方式における高速パケット伝送方式なども、本実施形態に適用可能である。
【００４１】
図１５は、ＨＳＤＰＡ方式を用いた移動通信システムにおける、time-to-triggerに対するＨＳＤＰＡ継続時間の計算機によるシミュレーション結果である。このシミュレーションにおいては、hysteresis、及びcell-individual-offsetsをゼロとし、最大ドップラー周波数が５．５５Ｈｚの二波レイリーフェージングを伝搬路モデルに用いた。図１５に示すように、０．１６秒のtime-to-triggerの場合、実施例の移動通信システム１００のＨＳＤＰＡ継続時間Ｆ１は、従来例の移動通信システムのＨＳＤＰＡ継続時間Ｆ２に比較して１００倍程度に増大している。
【００４２】
以上説明したように、無線基地局２１〜無線基地局２５のセル２１ａ〜セル２５ａ間を移動局１０が移動することにより、より安定した無線通信が行なえるようにアクティブセット２０の構成を変更する変更指示が移動局１０により成される。しかし、ＨＳ−ＰＤＳＣＨを介して移動局１０と無線通信を行なっているＨＳＳＣが変更対象となっている場合には、ＨＳ−ＰＤＳＣＨを介した無線通信の維持が困難となる。実施形態の移動通信システム１００によれば、ＨＳＳＣが変更対象となった場合であっても、ＨＳ−ＰＤＳＣＨを介した無線通信の維持決定が成されるので、ＨＳ−ＰＤＳＣＨを介した無線通信の維持が可能となる。
【図面の簡単な説明】
【００４３】
【図１】実施形態に係る移動通信システムの構成を示す図である。
【図２】無線制御装置の構成を示す図である。
【図３】無線制御装置の機能を説明するための図である。
【図４】移動局から無線制御装置に送信されるデータの一例である。
【図５】移動局から無線制御装置に送信されるデータの一例である。
【図６】移動局から無線制御装置に送信されるデータの一例である。
【図７】無線制御装置による無線制御を説明するための図である。
【図８】実施形態に係る制御内容を説明するためのフローチャートである。
【図９】実施形態に係る制御内容を説明するためのフローチャートである。
【図１０】実施形態に係る制御内容を説明するためのフローチャートである。
【図１１】実施形態に係る制御内容を説明するためのフローチャートである。
【図１２】実施形態に係る制御内容を説明するためのフローチャートである。
【図１３】実施形態に係る制御内容を説明するためのフローチャートである。
【図１４】実施形態に係る制御内容を説明するためのフローチャートである。
【図１５】実施例を説明するための図である。
【符号の説明】
【００４４】
１０〜１３…移動局、２０…アクティブセット、２１〜２５…無線基地局、２１ａ〜２５ａ…セル、３０…無線制御装置、３１…ＣＰＵ、３２…ＲＡＭ、３３…ＲＯＭ、３４…入力装置、３５…出力装置、３６…通信制御装置、３７…バス、１００…移動通信システム、１０１…取得手段、１０２…決定手段、１０３…指示手段。
【図１】
2008067094.tif 000003
【図２】
2008067094.tif 000004
【図３】
2008067094.tif 000005
【図４】
2008067094.tif 000006
【図５】
2008067094.tif 000007
【図６】
2008067094.tif 000008
【図７】
2008067094.tif 000009
【図８】
2008067094.tif 000010
【図９】
2008067094.tif 000011
【図１０】
2008067094.tif 000012
【図１１】
2008067094.tif 000013
【図１２】
2008067094.tif 000014
【図１３】
2008067094.tif 000015
【図１４】
2008067094.tif 000016
【図１５】
2008067094.tif 000017